(57)【要約】      （修正有）【課題】光源からの光の確認の可能性を高めたプラグ接続構造を提供する。【解決手段】プラグ接続構造は、芯線５３０を有するケーブル５８０の端部と接続されたプラグ本体５５０と、プラグ本体５５０内に設けられた芯線５３０の端部と、一端および他端がプラグ本体５５０の表面の所定の箇所で露出するようプラグ本体５５０内に設けられ、一端から他端に光を伝達できる第１の光伝送路部５４０と、芯線５３０の端部と接続されたプラグ端子部５２０とを有するプラグ部５００と、ジャック本体と、プラグ部５００が挿入された開口部と、所定の信号の受信時に光を発し、第１の光伝送路部５４０の一端に当該光が入射するようにジャック本体内に設けられた光源３５０と、光源３５０が発する光をジャック本体外に導く第２の光伝送路部と、プラグ端子部５２０と接続されたジャック端子部３３０とを有するジャック部３００とを含む。【選択図】図４
2016004729.tif 000002
【特許請求の範囲】
【請求項１】
電気信号を伝送する芯線を有するケーブルの端部と接続されたプラグ本体と、前記プラグ本体内に設けられた前記芯線の端部と、一端および他端が前記プラグ本体の表面の所定の箇所で露出するよう前記プラグ本体内に設けられ、前記一端から他端に光を伝達できる第１の光伝送路部と、前記芯線の端部と電気的に接続されたプラグ端子部とを有するプラグ部と、
ジャック本体と、前記ジャック本体に設けられ、前記プラグ部が挿入された開口部と、所定の信号の受信時に光を発し、前記光伝送路部の前記一端に当該光が入射するように前記ジャック本体内に設けられた光源と、該光源が発する光を前記ジャック本体外に導く第２の光伝送路部と、前記プラグ端子部と電気的に接続されたジャック端子部とを有するジャック部と
を含むことを特徴とするプラグ接続構造。
【請求項２】
前記第１の光伝送路部の前記他端に設けられ、該他端に到達した光を通過させる第１の表示板
を含むことを特徴とする請求項１記載のプラグ接続構造。
【請求項３】
前記第２の光伝送路部の一端に第２の表示板が設けられ、
前記光源の発する光は、前記第２の表示板を通過して前記ジャック部外に出ていく
ことを特徴とする請求項１または２記載のプラグ接続構造。
【請求項４】
電気信号を伝送する芯線を有するケーブルの端部と接続されたプラグ本体と、前記プラグ本体内に設けられた前記芯線の端部と、一端および他端が前記プラグ本体の表面の所定の箇所で露出するよう前記プラグ本体内に設けられ、前記一端から他端に光を伝達できる第１の光伝送路部と、前記芯線の端部と電気的に接続されたプラグ端子部とを有するプラグ部と、
ジャック本体と、前記ジャック本体に設けられ、前記プラグ部が挿入された開口部と、所定の信号の受信時に光を発する光源と、該光源が発する光の少なくとも一部を前記ジャック本体外に導く第２の光伝送路部と、前記光源からの光が前記第１の光伝送路部の前記一端に入射するように当該光の少なくとも一部を反射するとともに、当該光の少なくとも他の一部を通過させて前記ジャック本体外に導くよう前記第２の光伝送路部内に設けられた反射手段と、前記プラグ端子部と電気的に接続されたジャック端子部とを有するジャック部と
を含むことを特徴とするプラグ接続構造。
【請求項５】
前記第１の光伝送路部の前記他端に設けられ、該他端に到達した光を通過させる第１の表示板
を含むことを特徴とする請求項４記載のプラグ接続構造。
【請求項６】
前記第２の光伝送路部の一端に第２の表示板が設けられ、
前記反射手段を通過した光の一部は、前記第２の表示板を通過して前記ジャック部外に出ていく
ことを特徴とする請求項４記載のプラグ接続構造。
【請求項７】
前記第１の光伝送路部は、管状の部材で形成され、該管状の部材の内壁は光を反射する
ことを特徴とする請求項１乃至６のいずれかに記載のプラグ接続構造。
【発明の詳細な説明】
【技術分野】
【０００１】
本発明は、プラグ接続構造に関する。
【背景技術】
【０００２】
特許文献１には、モジュラージャック１００を実装した基板６００上に搭載され、データ送受信等の通信状態を表示するＬＥＤ（Ｌｉｇｈｔ＿Ｅｍｉｔｔｉｎｇ＿Ｄｉｏｄｅ：発光ダイオード）１０からの光を、モジュラージャック１００に挿入された透光性を有するモジュラープラグ２００に放射することでモジュラープラグ２００全体を光らせ、上記データ送受信等の通信状態を利用者に知らせる技術が開示されている。
【０００３】
なお、関連技術として、特許文献２には、発光体５からの光を、操作キー１ｂの接点構造３により遮蔽されないように配置したリング状の操作キー１ｂの表面まで透光材を用いて伝達することにより、操作キー１ｂの視認性を向上させる技術が開示されている。
【０００４】
また、特許文献３には、モデム２０の通信状態を表示するＬＥＤ表示部４の各ＬＥＤからの光を、それぞれのＬＥＤと対向して配置された導光体２４により伝達し、各ＬＥＤの発光を視認しやすくする技術が開示されている。
【０００５】
また、特許文献４には、発光体６が、透光性のプラグ部７ａを挿入可能な穴を有する筒状のジャック部品４に取付けられ、着信に応じて該ジャック部品４の穴の内部に向けて発光体６から照射された光が、ジャック部品４に挿入されたプラグ部７ａを照射し、こうして照射された光がプラグ部７ａ内で拡散され、プラグ部７ａで拡散された光がアクセサリ本体部７ｂを発光させる技術が開示されている。
【０００６】
また、特許文献５には、オーディオ機器のマイクロフォンやヘッドフォン等のプラグが挿入されるジャック装置３の穴に、目印となる照明縁３１ａを設けてジャック装置の位置の視認性を向上させる技術が開示されている。
【先行技術文献】
【特許文献】
【０００７】
【特許文献１】特開２０１２−０６９３８２号公報
【特許文献２】特開２００５−２４３２６５号公報
【特許文献３】特開平１０−２４７５６０号公報
【特許文献４】特開２０１４−０５３８０９号公報
【特許文献５】実公昭５９−０１５４２３号公報
【発明の概要】
【発明が解決しようとする課題】
【０００８】
しかしながら、特許文献１に記載された技術では、モジュラープラグ２００の材料として、光透過性を有する材料しか使用できないという問題点がある。
【０００９】
なお、特許文献２乃至５のいずれも、１つの発光手段からの光を複数の箇所で目視できるようにし、ある箇所の前に遮蔽物があり、当該箇所で上記光を目視できない場合に、別の箇所で上記光を目視できるような技術を何ら開示していない。
【００１０】
本発明の目的は、上述した問題点を解決したプラグ接続構造を提供することにある。
【課題を解決するための手段】
【００１１】
本発明の第１のプラグ接続構造は、
電気信号を伝送する芯線を有するケーブルの端部と接続されたプラグ本体と、前記プラグ本体内に設けられた前記芯線の端部と、一端および他端が前記プラグ本体の表面の所定の箇所で露出するよう前記プラグ本体内に設けられ、前記一端から他端に光を伝達できる第１の光伝送路部と、前記芯線の端部と電気的に接続されたプラグ端子部とを有するプラグ部と、
ジャック本体と、前記ジャック本体に設けられ、前記プラグ部が挿入された開口部と、所定の信号の受信時に光を発し、前記光伝送路部の前記一端に当該光が入射するように前記ジャック本体内に設けられた光源と、該光源が発する光を前記ジャック本体外に導く第２の光伝送路部と、前記プラグ端子部と電気的に接続されたジャック端子部とを有するジャック部と
を含む。
【００１２】
本発明の第２のプラグ接続構造は、
電気信号を伝送する芯線を有するケーブルの端部と接続されたプラグ本体と、前記プラグ本体内に設けられた前記芯線の端部と、一端および他端が前記プラグ本体の表面の所定の箇所で露出するよう前記プラグ本体内に設けられ、前記一端から他端に光を伝達できる第１の光伝送路部と、前記芯線の端部と電気的に接続されたプラグ端子部とを有するプラグ部と、
ジャック本体と、前記ジャック本体に設けられ、前記プラグ部が挿入された開口部と、所定の信号の受信時に光を発する光源と、該光源が発する光の少なくとも一部を前記ジャック本体外に導く第２の光伝送路部と、前記光源からの光が前記第１の光伝送路部の前記一端に入射するように当該光の少なくとも一部を反射するとともに、当該光の少なくとも他の一部を通過させて前記ジャック本体外に導くよう前記第２の光伝送路部内に設けられた反射手段と、前記プラグ端子部と電気的に接続されたジャック端子部とを有するジャック部と
を含む。
【発明の効果】
【００１３】
本発明には、プラグ部の材料に光透過性を有する材料を用いることなく、光源の発光状態を確認できる可能性を高められるという効果がある。
【図面の簡単な説明】
【００１４】
【図１】本発明の第１の実施形態を示す背面図である。
【図２】第１の実施形態のジャック部の断面図である。
【図３Ａ】第１の実施形態のプラグ部の断面図である。
【図３Ｂ】第１の実施形態のプラグ部の底面図である。
【図４】第１の実施形態のジャック部にプラグ部を挿入したときの様子を示す断面図である。
【図５】第２の実施形態のジャック部の断面図である。
【図６】第２の実施形態のジャック部にプラグ部を挿入したときの様子を示す断面図である。
【発明を実施するための形態】
【００１５】
次に、本発明の実施形態について図面を参照して詳細に説明する。
＜第１の実施形態＞
まず、第１の実施形態について説明する。
【００１６】
図１は、本発明の第１の実施形態を示す背面図である。
【００１７】
図１を参照すると、本実施形態は、電子機器２００から構成され、電子機器２００は、複数のジャック部３００と、複数のプラグ部５００とを含む。
【００１８】
各ジャック部３００は、ジャック状態表示板３６０を含み、各プラグ部５００は、プラグ状態表示板５７０を含む。各プラグ部５００には、電子機器２００を他の電子機器等と電気的に接続するためのケーブル５８０が接続されている。
【００１９】
次に、図２、図３Ａおよび図３Ｂを用いてジャック部３００およびプラグ部５００の詳細な構造について説明する。
【００２０】
図２は、ジャック部３００の断面図（図１に示された、ある１つのジャック部３００の横方向の中央付近でジャック部３００を縦方向に切断した場合の様子を示す図）である。
【００２１】
図２を参照すると、ジャック部３００は、ジャック本体３２０と、ジャック本体３２０内に設けられた端子配線部３１０と、ジャック本体３２０に設けられたジャック端子部３３０と、ジャック本体３２０に設けられたジャック信号ピン３４０と、ジャック本体３２０内に設けられた光源３５０と、ジャック本体３２０に設けられたジャック状態表示板３６０と、ジャック本体３２０に設けられたジャック光源開口部３７０と、ジャック本体３２０に設けられた開口部３９０と、光源３５０からの光をジャック本体３２０外に導くようジャック本体３２０内に設けられた光伝送路部３８０とを含む。
【００２２】
ジャック端子部３３０は、その一端が端子配線部３１０と接続され、弾性を有する線状の導電体であり、開口部３９０にプラグ部５００が挿入されたときに、プラグ部５００のプラグ端子部５２０と電気的および機械的に接触する。
【００２３】
光源３５０は、例えば、ＬＥＤランプであり、ジャック光源開口部３７０の直下に配置され、光源３５０からの光は、光伝送路部３８０およびジャック光源開口部３７０の方向に放射される。
【００２４】
ジャック状態表示板３６０は、例えば、光源３５０からの光を通過させることができる、透明または乳白色等の半透明の板である。なお、ジャック状態表示板３６０は設けなくともよい。その場合は、光源３５０からの光は、光伝送路部３８０を通り、ジャック本体３２０外へ直接出て行く。
【００２５】
ジャック光源開口部３７０は、光源３５０からの光が通過する穴である。
【００２６】
端子配線部３１０は、ジャック端子部３３０とジャック信号ピン３４０との間を電気的に接続する。
【００２７】
ジャック信号ピン３４０は、図示していないプリント基板等の配線パターン等を介して電子機器２００の図示していない関連する回路と電気的に接続される。
【００２８】
図３Ａはプラグ部５００の断面図（図１に示された、ある１つのプラグ部５００の横方向の中央付近でプラグ部５００を縦方向に切断した場合の様子を示す図）であり、図３Ｂはプラグ部５００の底面図である。
【００２９】
図３ＡおよびＢを参照すると、プラグ部５００は、プラグ本体５５０と、プラグ本体５５０内に設けられたプラグ端子部５２０と、芯線５３０と、プラグ本体５５０内に設けられた光伝送路部５４０と、プラグ本体５５０に設けられたプラグ状態表示板５７０とを含む。
【００３０】
プラグ本体５５０には、電気信号を伝送する芯線５３０を有するケーブル５８０の端部が接続されており、ケーブル５８０の端部の芯線５３０はプラグ本体５５０内まで伸びている。
【００３１】
プラグ本体５５０内に設けられた光伝送路部５４０は、例えば、管状の部材で形成され、該管状の部材の内壁は、光を反射できるよう鏡面仕上げされている。または、該管状の部材の内壁に、光を反射するような塗料等を塗布するようにしてもよい。
【００３２】
こうして、光伝送路部５４０は、その一端からその他端に光を伝達することができる。
【００３３】
光伝送路部５４０の他端に設けられたプラグ状態表示板５７０は、例えば、光を通過させることができる、透明または乳白色等の半透明の板である。なお、プラグ状態表示板５７０は設けなくともよい。
【００３４】
プラグ端子部５２０は、導電体であり、ケーブル５８０の芯線５３０と電気的に接続されている。
【００３５】
図４は、上述したようなジャック部３００に上述したようなプラグ部５００を挿入したときの様子を示す断面図である。
【００３６】
このように、ジャック部３００にプラグ部５００が挿入されたとき、光伝送路部５４０の一端がジャック光源開口部３７０の直上に位置するようジャック光源開口部３７０は形成されている。
【００３７】
なお、ジャック部３００にプラグ部５００が挿入されるとき、まず、プラグ端子部５２０の先端部が、弾性を有するジャック端子部３３０の所定の箇所の下部側に接触し、プラグ端子部５２０が挿入されていくにつれて、端子部３３０は、端子部３３０と端子配線部３１０とが接続された部分を支点として、押し上げられていく。こうして、端子部５２０と端子部３３０とが電気的に接続される。
【００３８】
今、光源３５０が、電子機器２００内の所定の回路から所定の信号を受信して、発光を開始したとする。
【００３９】
光源３５０からの光は、ジャック光源開口部３７０を通過して、光伝送路部５４０の一端から光伝送路部５４０内に入射する。
【００４０】
光伝送路部５４０に入射した光は、光伝送路部５４０の鏡面状の内壁で反射を繰り返しながら、プラグ状態表示板５７０の位置まで伝達され、プラグ状態表示板５７０を通過して外部へ放射される。
【００４１】
また、光源３５０からの光は、光伝送路部３８０を通って、ジャック状態表示板３６０にも達し、ジャック状態表示板３６０を通過して外部に放射される。
【００４２】
こうして、状態表示板３６０および５７０のいずれか一方の前面にケーブル５８０等の遮蔽物があっても、他方の状態表示板で光源３５０の発光の有無を確認することができる。
【００４３】
以上、本実施形態には、プラグ部の材料に光透過性を有する材料を用いることなく、光源の発光状態を確認できる可能性を高められるという効果がある。
【００４４】
その理由は、プラグ部内にも光伝送路部を設け、光源からの光を、プラグ部内の光伝送路部をも介してプラグ部外に導くようにしたからである。
＜第２の実施形態＞
次に、本発明の第２の実施形態について説明する。
【００４５】
本実施形態は、ジャック部３００を除き、図１に示した第１の実施形態の構成とほぼ同様な構成を有する。
【００４６】
図５は、本実施形態のジャック部７００の断面図（第１の実施形態におけるジャック部３００の断面を示す図２に対応する断面図）である。
【００４７】
図５を参照すると、本実施形態では、光源７５０が第１の実施形態における光源３５０よりも後方（図５では左方向）にずらして設けられるとともに、ジャック光源開口部３７０の直下にハーフミラー７８０が設けられている。ジャック部７００のその他の構成は、第１の実施形態におけるジャック部３００と同一であり、その説明は省略する。
【００４８】
ここで、ハーフミラー７８０は、対向する入射面と出射面とを有する板であり、入射面に到達した光の一部を入射面で反射するとともに、該光の残りを通過させ出射面から放射する。このようなハーフミラーは、例えば、特開平１１−２０２８１９に記載されている。
【００４９】
本実施形態では、ハーフミラー７８０は、その入射面が光源７５０と正対し且つジャック光源開口部３７０の開口面に対して４５度傾けて設けられている。
【００５０】
図６は、ジャック部７００に、第１の実施形態におけるプラグ部５００（図３ＡおよびＢ参照）を挿入したときの様子を示す断面図である。
【００５１】
今、光源７５０が、電子機器２００内の所定の回路から所定の信号を受信して、発光を開始したとする。
【００５２】
光源７５０からの光の一部は、ハーフミラー７８０の入射面で反射してジャック光源開口部３７０に向かい、ジャック光源開口部３７０を通過して、光伝送路部５４０の一端から光伝送路部５４０内に入射する。
【００５３】
光伝送路部５４０に入射した光は、光伝送路部５４０の鏡面状の内壁で反射を繰り返しながら、プラグ状態表示板５７０の位置まで伝達され、プラグ状態表示板５７０を通過して外部へ放射される。
【００５４】
また、光源７５０からの光の残りは、ハーフミラー７８０の出射面から出て、光伝送路部３８０を通ってジャック状態表示板３６０に達し、ジャック状態表示板３６０を通過して外部に放射される。
【００５５】
こうして、状態表示板３６０および５７０のいずれか一方の前面にケーブル５８０等の遮蔽物があっても、他方の状態表示板で光源７５０の発光の有無を確認することができる。
【００５６】
以上、本実施形態には、第１の実施形態と同様に、プラグ部の材料に光透過性を有する材料を用いることなく、光源の発光状態を確認できる可能性を高められるという効果がある。
【００５７】
その理由は、プラグ部内にも光伝送路部を設け、光源からの光を、プラグ部内の光伝送路部をも介してプラグ部外に導くようにしたからである。
【符号の説明】
【００５８】
２００    電子機器
３００    ジャック部
３１０    端子配線部
３２０    ジャック本体
３３０    ジャック端子部
３４０    ジャック信号ピン
３５０    光源
３６０    ジャック状態表示板
３７０    ジャック光源開口部
３８０    光伝送路部
３９０    開口部
５００    プラグ部
５２０    プラグ端子部
５３０    芯線
５４０    光伝送路部
５５０    プラグ本体
５７０    プラグ状態表示板
５８０    ケーブル
７００    ジャック部
７５０    光源
７８０    ハーフミラー
【図１】
2016004729.tif 000003
【図２】
2016004729.tif 000004
【図３Ａ】
2016004729.tif 000005
【図３Ｂ】
2016004729.tif 000006
【図４】
2016004729.tif 000007
【図５】
2016004729.tif 000008
【図６】
2016004729.tif 000009